(57)【要約】      （修正有）【課題】機能性チップの実装時におけるガラス基板の割れが抑制された配線基板、および配線基板を用いた機能性素子を提供する。【解決手段】配線基板１０は、ガラス基板１と、ガラス基板の一方の面側に配置された配線層２と、ガラス基板の配線層側の面側に配置され開口部を有する絶縁層３と、絶縁層の開口部に配置され配線層と電気的に接続された接続用凸部４とを有する。１つの接続用凸部を基準凸部４Ｓとしたとき、基準凸部の中心から半径１００μｍの領域に、基準凸部を含む２つ以上の接続用凸部を有する接続用凸部群４Ｇを備える。接続用凸部群のうち、少なくとも１つ以上の接続用凸部とガラス基板との間に応力緩衝層５が配置される。【選択図】図１
2020141064.tif 000002
【特許請求の範囲】
【請求項１】
ガラス基板と、前記ガラス基板の一方の面側に配置された配線層と、前記ガラス基板の前記配線層側の面側に配置され開口部を有する絶縁層と、前記絶縁層の開口部に配置され前記配線層と電気的に接続された接続用凸部とを有する配線基板であって、
１つの前記接続用凸部を基準凸部としたとき、前記基準凸部の中心から半径１００μｍの領域に、前記基準凸部を含む２つ以上の前記接続用凸部を有する接続用凸部群を備え、
前記接続用凸部群のうち、少なくとも１つ以上の前記接続用凸部と前記ガラス基板との間に応力緩衝層が配置されている、配線基板。
【請求項２】
前記接続用凸部群のうち、前記ガラス基板の前記配線層側の面を基準面としたとき、前記応力緩衝層が配置された１つの前記接続用凸部の頂部から前記基準面までの高さが、１つの前記接続用凸部よりも厚さの薄い前記応力緩衝層が配置された前記接続用凸部の頂部から前記基準面までの高さ、または前記応力緩衝層が配置されていない前記接続用凸部の頂部から前記基準面までの高さよりも高い、請求項１に記載の配線基板。
【請求項３】
前記接続用凸部群のうち、前記ガラス基板の前記配線層側の面を基準面としたとき、前記接続用凸部の頂部から前記基準面までの高さが最も高い前記接続用凸部が、実装される機能性チップの最外周の端子に対応する位置に配置されている、請求項１または請求項２に記載の配線基板。
【請求項４】
前記接続用凸部群のうち、前記ガラス基板の前記配線層側の面を基準面としたとき、前記応力緩衝層が配置された前記接続用凸部の頂部から前記基準面までの高さが最も高い接続用凸部の、前記高さに対する前記応力緩衝層の厚さの比率が１０％以上である、請求項１から請求項３までのいずれかの請求項に記載の配線基板。
【請求項５】
前記接続用凸部が、めっき層である、請求項１から請求項４までのいずれかの請求項に記載の配線基板。
【請求項６】
前記応力緩衝層が樹脂層である、請求項１から請求項５までのいずれかの請求項に記載の配線基板。
【請求項７】
請求項１から請求項６までのいずれかの請求項に記載の配線基板と、
前記接続凸部群の前記接続用凸部と電気的に接続された機能性チップとを有する、素子。
【発明の詳細な説明】
【技術分野】
【０００１】
本開示は、配線基板およびこれを用いた素子に関する。
【背景技術】
【０００２】
例えば、半導体チップ等の機能性チップ、および上記機能性チップを実装するための配線基板は、種々の電子機器に用いられている。上記配線基板は、例えば、支持基板、配線層、開口部を有する絶縁層がこの順に積層された積層構造を有し、上記絶縁層の開口部には、配線層と電気的に接続された接続用凸部が設けられた構成を有する。上記接続用凸部は、例えば、機能性チップの端子と電気的に接続させる部位であり、例えば、半田バンプ等により形成されている。
【０００３】
例えば、特許文献１には、配線基板の製造方法として、複数の製品領域のうち少なくとも１つの製品領域内における上記第２の導体層の高さを計測する工程と、計測された第２の導体層の高さが閾値未満である場合、第１の導体層を選択的に食刻する第１の薬液を用いて第１の導体層のうち樹脂層の除去により露出する部分と第２の導体層の外縁側の直下に位置する部分のエッチングを行い、第２の導体層の高さが閾値以上である場合、第１の導体層及び第２の導体層を食刻する第２の薬液を用いて第１の導体層のうち樹脂層の除去により露出する部分と第２の導体層の一部のエッチングを行う工程と、を有する製造方法が開示されている。半田バンプの高さばらつきによる不良を低減することを目的としている。
【先行技術文献】
【特許文献】
【０００４】
【特許文献１】特開２０１５−２３０４５号公報
【発明の概要】
【発明が解決しようとする課題】
【０００５】
近年、電子機器の小型化、高性能化に伴い、上記配線基板に対し機能性チップを狭いピッチで実装するといった狭ピッチ化が求められている。また、配線基板に対し機能性チップを良好に実装するためには、配線基板に配置された接続用凸部の高さばらつきが小さいことが要求される。しかしながら、狭ピッチ化された配線基板においては、隣接する接続用凸部同士の距離が短いため、隣接する接続用凸部同士の面方向での接触を抑制しつつ、高さを揃えることが難しい。
【０００６】
また、従来から配線基板に用いられる支持基板としては、樹脂製基板、ガラスエポキシ基板が用いられているが、これらの基板は耐熱性が低いため、機能性チップを実装する際の熱処理工程等において歪みが生じる場合がある。そこで、耐熱性の観点から、配線基板を構成する支持基板としてガラス基板を利用することが検討されている。
【０００７】
しかしながら、上述したように、狭ピッチ化された配線基板においては、接続用凸部の高さばらつきを十分に抑制することが困難であり、さらに支持基板としてガラス基板を用いた場合、機能性チップの実装時における押し込みによって、配線基板に局所的な応力集中が生じ、ガラス基板が割れてしまう場合がある。
【０００８】
本開示は、上記実情に鑑みてなされた発明であり、機能性チップの実装時におけるガラス基板の割れが抑制された配線基板、および上記配線基板を用いた機能性素子を提供することを主目的とする。
【課題を解決するための手段】
【０００９】
上記目的を達成するために、本開示においては、ガラス基板と、上記ガラス基板の一方の面側に配置された配線層と、上記ガラス基板の上記配線層側の面側に配置され開口部を有する絶縁層と、上記絶縁層の開口部に配置され上記配線層と電気的に接続された接続用凸部とを有する配線基板であって、１つの上記接続用凸部を基準凸部としたとき、上記基準凸部の中心から半径１００μｍの領域に、上記基準凸部を含む２つ以上の上記接続用凸部を有する接続用凸部群を備え、上記接続用凸部群のうち、少なくとも１つ以上の上記接続用凸部と上記ガラス基板との間に応力緩衝層が配置されている、配線基板を提供する。
【００１０】
本開示によれば、上記接続用凸部群のうち、少なくとも１つ以上の上記接続用凸部と上記ガラス基板との間に応力緩衝層が配置されていることにより、機能性チップの実装時におけるガラス基板の割れが抑制された配線基板とすることができる。
【００１１】
上記開示においては、上記接続用凸部群のうち、上記ガラス基板の上記配線層側の面を基準面としたとき、上記応力緩衝層が配置された１つの上記接続用凸部の頂部から上記基準面までの高さが、１つの上記接続用凸部よりも厚さの薄い上記応力緩衝層が配置された上記接続用凸部の頂部から上記基準面までの高さ、または上記応力緩衝層が配置されていない上記接続用凸部の頂部から上記基準面までの高さよりも高いことが好ましい。機能性チップの実装時において、ガラス基板の割れを好適に抑制することができるからである。
【００１２】
上記開示においては、上記接続用凸部群のうち、上記ガラス基板の上記配線層側の面を基準面としたとき、上記接続用凸部の頂部から上記基準面までの高さが最も高い上記接続用凸部が、実装される機能性チップの最外周の端子に対応する位置に配置されていることが好ましい。機能性チップをより良好に実装することが可能な配線基板とすることができるからである。
【００１３】
上記開示においては、上記接続用凸部群のうち、上記ガラス基板の上記配線層側の面を基準面としたとき、上記応力緩衝層が配置された上記接続用凸部の頂部から上記基準面までの高さが最も高い接続用凸部の、上記高さに対する上記応力緩衝層の厚さの比率が１０％以上であることが好ましい。機能性チップの実装時における応力集中を抑制しやすい応力緩衝層とすることができるからである。
【００１４】
上記開示においては、上記接続用凸部が、めっき層であることが好ましい。狭ピッチの配線基板に対し、接続用凸部を良好に形成することができるからである。
【００１５】
上記開示においては、上記応力緩衝層が樹脂層であることが好ましい。機能性チップの実装時における応力集中を抑制しやすい応力緩衝層とすることができるからである。
【００１６】
本開示においては、上述した配線基板と、上記接続凸部群の上記接続用凸部と電気的に接続された機能性チップとを有する、素子を提供する。
【００１７】
本開示によれば、上述した配線基板を有することにより、機能性チップが良好に実装された素子とすることができる。
【発明の効果】
【００１８】
本開示の配線基板は、機能性チップの実装時におけるガラス基板の割れを抑制することができるといった効果を奏する。
【図面の簡単な説明】
【００１９】
【図１】本開示の配線基板を例示する概略平面図および概略断面図である。
【図２】本開示における接続用凸部群を説明する概略平面図である。
【図３】本開示の配線基板を例示する概略断面図である。
【図４】本開示における機能性チップを例示する概略平面図である。
【図５】本開示の配線基板の説明図である。
【図６】本開示の配線基板の説明図である。
【図７】本開示の素子を例示する概略平面図および概略断面図である。
【発明を実施するための形態】
【００２０】
下記に、図面等を参照しながら本開示の実施の形態を説明する。ただし、本開示は多くの異なる態様で実施することが可能であり、下記に例示する実施の形態の記載内容に限定して解釈されるものではない。また、図面は説明をより明確にするため、実際の形態に比べ、各部の幅、厚さ、形状等について模式的に表わされる場合があるが、あくまで一例であって、本開示の解釈を限定するものではない。また、本明細書と各図において、既出の図に関して前述したものと同様の要素には、同一の符号を付して、詳細な説明を適宜省略することがある。
【００２１】
本明細書において、ある部材の上に他の部材を配置する態様を表現するにあたり、単に「上に」、あるいは「下」と表記する場合、特に断りの無い限りは、ある部材に接するように、直上、あるいは直下に他の部材を配置する場合と、ある部材の上方、あるいは下方に、さらに別の部材を介して他の部材を配置する場合との両方を含むものとする。
【００２２】
同様に、本明細書において、「ある部材の面側に」と表記する場合、特段の断りのない限りは、ある部材の面に接するように直接、他の部材を配置する場合と、ある部材の面に別の部材の介して他の部材を配置する場合との両方を含むものとする。
【００２３】
本開示は、配線基板およびこれを用いた素子に関する技術である。
上述したように、配線基板においては、機能性チップを狭いピッチで実装するといった狭ピッチ化が求められている。また、配線基板に対し機能性チップを良好に実装するためには、配線基板に配置された接続用凸部の高さばらつきが小さいことが要求される。上記接続用凸部の高さばらつきを調整する方法としては、例えば、絶縁層の開口部に配置する半田の量を調整し、半田バンプの大きさを調整する方法が考えられる。また別の例として、接続用凸部をめっき法により形成する方法も検討されている。接続用凸部をめっき法で形成する場合、飽和状態となるまでめっき処理を行うことで、めっき層の厚さを一定とすることができるため、接続用凸部の高さばらつきを抑制することができると考えられる。しかしながら、狭ピッチ化された配線基板においては、隣接する接続用凸部同士の距離が短いため、上述した方法では、隣接する接続用凸部同士の面方向での接触を抑制しつつ、高さを揃えることが難しい。
【００２４】
また、耐熱性の観点から、配線層の支持基板としてガラス基板を用いることが検討されている。しかしながら、狭ピッチ化された配線基板においては、接続用凸部の高さばらつきを十分に抑制することが困難であり、さらに支持基板としてガラス基板を用いた場合、機能性チップの実装時における押し込みによって、配線基板に局所的な応力集中が生じ、ガラス基板が割れてしまう場合がある。
【００２５】
上記問題に対しては、例えば、配線基板に用いられる絶縁層等を無機材料層等で形成することにより、接続用凸部の高低差を小さくことが検討されるが、この場合もガラス基板の割れを十分に抑制することは難しい。
本開示の配線基板、およびこれを用いた素子は、上記課題を解決するためになされた発明である。
【００２６】
Ａ．配線基板
本開示の配線基板は、ガラス基板と、上記ガラス基板の一方の面側に配置された配線層と、上記ガラス基板の上記配線層側の面側に配置され開口部を有する絶縁層と、上記絶縁層の開口部に配置され上記配線層と電気的に接続された接続用凸部とを有する配線基板であって、１つの上記接続用凸部を基準凸部としたとき、上記基準凸部の中心から半径１００μｍの領域に、上記基準凸部を含む２つ以上の上記接続用凸部を有する接続用凸部群を備え、上記接続用凸部群のうち、少なくとも１つ以上の上記接続用凸部と上記ガラス基板との間に応力緩衝層が配置されている。
【００２７】
本開示の配線基板について図を用いて説明する。図１（ａ）は本開示の配線基板の一例を示す概略平面図であり、図１（ｂ）は図１（ａ）のＡ部分の拡大図であり、図１（ｃ）は図１（ｂ）のＢ−Ｂ線断面図である。図１（ａ）〜（ｃ）に示される配線基板１０は、ガラス基板１と、ガラス基板１の一方の面側に配置された配線層２と、ガラス基板１の配線層２側の面側に配置され開口部Ｈを有する絶縁層３と、絶縁層３の開口部に配置され配線層２と電気的に接続された接続用凸部４とを有する。
【００２８】
また、図１（ｂ）、（ｃ）に示すように、配線基板１０は、１つの接続用凸部４を基準凸部４Ｓとしたとき、基準凸部４Ｓの中心から所定の半径Ｒ１の領域に、基準凸部４Ｓを含む２つ以上の接続用凸部４を有する接続用凸部群４Ｇを備える。半径Ｒ１は例えば、１００μｍである。図１（ｂ）、（ｃ）においては、接続用凸部４ｅを基準凸部４Ｓとしたとき、接続用凸部４ｅの中心から半径Ｒ１の領域に、接続用凸部４ｅを含む９つの接続用凸部４ａ〜４ｉを有する接続用凸部群４Ｇを備える例を示している。また、図１（ｃ）に示すように、配線基板１０は、接続用凸部群４Ｇのうち、少なくとも１つ以上の接続用凸部４とガラス基板１との間に応力緩衝層５が配置されている。
【００２９】
図１（ｃ）においては、接続用凸部４がめっき層４１およびめっき層４２の２層のめっき層である例を示している。また、配線基板１０が、配線層２として応力緩衝層５のガラス基板１側の面側に配置された第１の配線層２ａと、応力緩衝層５の接続用凸部側の面側に配置された第２の配線層２ｂとを有する例を示している。また、第１の配線層２ａと第２の配線層２ｂとの間に導電層６を有する例について示している。
【００３０】
本開示によれば、上記接続用凸部群のうち、少なくとも１つ以上の上記接続用凸部と上記ガラス基板との間に応力緩衝層が配置されていることにより、機能性チップの実装時におけるガラス基板の割れが抑制された配線基板とすることができる。
【００３１】
以下、本開示の配線基板について、構成ごとに説明する。
【００３２】
１．接続用凸部群
本開示の配線基板は、複数の接続用凸部から構成される接続用凸部群を備える。接続用凸部群は、１つの接続用凸部を基準凸部としたとき、上記基準凸部の中心から所定の半径の領域に、上記基準凸部を含む２つ以上の接続用凸部を有する。
【００３３】
「基準凸部の中心（接続用凸部の中心）」とは、基準凸部（接続用凸部）の平面視形状の図形における中心または重心をいい、例えば、基準凸部の平面視形状が円形状または楕円形状である場合はその中心をいい、基準凸部の平面視形状が多角形状である場合はその重心をいう。
【００３４】
「上記１つの接続用凸部を基準凸部としたとき、上記基準凸部の中心から所定の半径の領域に、上記基準凸部を含む２つ以上の接続用凸部を有する」とは、基準凸部の中心から所定の半径の領域に隣接する接続用凸部が、上記所定の半径の領域と平面視上重なるように位置していることをいう。
【００３５】
「上記１つの接続用凸部を基準凸部としたとき、上記基準凸部の中心から所定の半径の領域に、上記基準凸部を含む２つ以上の接続用凸部を有する」場合としては、具体的には、図１（ｂ）に示すように、接続用凸部４ｅを基準凸部４Ｓとしたとき、基準凸部４Ｓの中心から所定の半径Ｒ１の領域に隣接する接続用凸部４ａ、４ｂ、４ｃ、４ｄ、４ｆ、４ｇ、４ｈおよび４ｉが、所定の半径Ｒ１の領域と平面視上重なるように位置している場合をいう。言い換えると、接続用凸部群においては、基準凸部の中心から所定の距離の範囲内に隣接する接続用端子が配置されている。
【００３６】
基準凸部は、２つ以上の接続用凸部の相対的な位置関係を規定するために設定される。本開示においては、配線基板の任意の接続用凸部を基準凸部として設定することができる。例えば、図１（ｂ）においては、接続用凸部４ｅを基準凸部４Ｓとして設定した場合を例に説明しているが、例えば、他の接続用凸部４ａ〜４ｄ、４ｆ〜４ｈのいずれかを基準凸部として設定することもできる。配線基板における複数の接続用凸部のうち、いずれの接続用凸部を基準凸部とするかは、例えば、接続用凸部の配列に応じて適宜設定することができる。
【００３７】
接続用凸部群においては、基準凸部の中心から所定の半径の領域に、基準凸部を含む２つ以上の接続用凸部を有する。上記基準凸部の中心から所定の半径の領域は、半径１００μｍの領域であるが、例えば、半径１００μｍ以下の領域としてもよく、半径８０μｍ以下の領域としてもよく、半径６０μｍ以下の領域としてもよい。また、上記基準凸部の中心から所定の半径の領域は、例えば、半径５μｍ以上の領域としてもよく、半径８μｍ以上の領域としてもよく、半径１０μｍ以上の領域としてもよい。
上記基準凸部の中心から所定の半径の領域を上記範囲とすることにより、機能性チップを比較的狭いピッチで配置可能な配線基板とすることができる。また、接続用凸部の高さばらつきが生じやすいため、応力緩衝層を設けることによる効果を高く発揮することができるからである。
【００３８】
接続用凸部群において、隣接する接続用凸部同士のピッチ幅は、上述した所定の半径の領域に基準凸部を含む２つ以上の接続用凸部を有することができる程度の幅であれば特に限定されず、実装される機能性チップの端子のピッチ幅に応じて適宜選択される。隣接する接続凸部同士のピッチの幅は、上述した半径よりも大きくてもよく、同じであってもよく、小さくてもよい。上記ピッチ幅は、例えば、１０μｍ以上であってもよく、２０μｍ以上であってもよく、３０μｍ以上であってもよい。また、上記ピッチ幅は、例えば、６０μｍ以下であってもよく、５０μｍ以下であってもよく、４０μｍ以下であってもよい。なお、隣接する接続用凸部同士のピッチ幅とは、一方の接続用凸部の中心から他方の接続用凸部の中心までの距離をいう。
【００３９】
接続用凸部群の平面視外形形状は、実装される機能性チップの端子の配置に応じて適宜選択される。接続用凸部群の平面視外形形状は、例えば、円形状（図２（ａ））、楕円形状（図示なし）、三角形状（図２（ｂ））、矩形状（図２（ｃ））、ｎ角形状（ｎは５以上の実数、図示なし）等が挙げられる。接続用凸部群の平面視外形形状とは、接続用凸部群を構成する複数の接続用凸部が配置された領域の平面視上の形状をいう。
【００４０】
接続用凸部群においては、個々の接続用凸部は、実装される機能性チップの端子の配列に対応して配置される。接続用凸部群においては、個々の接続用凸部は、例えば、ライン状等の所定のパターンで配置されていてもよく、ランダムに配置されていてもよい。
【００４１】
接続用凸部群を構成する接続用凸部の数は、少なくとも２個以上である。上記接続用凸部の数は、実装される機能性チップの端子の個数に合わせて適宜調整される。
【００４２】
接続用凸部群の大きさは、実装される機能性チップの大きさに応じて適宜選択される。接続用凸部群の大きさの一例としては、４０μｍ以上、２００００μｍ以下が挙げられるがこれに限定されない。接続用凸部群の大きさとは、上述した接続用凸部群の平面視外形形状のなかで、最も長い距離をいう。
【００４３】
上述した基準凸部の中心からの距離（半径）、ピッチ幅は、例えば、走査型電子顕微鏡（ＳＥＭ）を用いて配線基板を観察することにより測定することができる。
【００４４】
本開示においては、接続用凸部群のうち、少なくとも１つ以上の接続用凸部とガラス基板との間に応力緩衝層が配置されている。言い換えると、接続用凸部群を構成する接続用凸部は、そのガラス基板側の面側に応力緩衝層が配置されているものだけでなく、応力緩衝層が配置されていないものも含んでいてもよい。また、複数の接続用凸部のガラス基板側の面側に応力緩衝層が配置されている場合、各接続用凸部に配置された応力緩衝層の厚さは、同じであってもよく、異なっていても良い。
【００４５】
本開示の配線基板は、通常、接続用凸部群において接続用凸部の高さばらつきを有する。具体的には、接続用凸部群において、ガラス基板の配線層側の面を基準面としたときの接続用凸部の頂部から基準面までの高さにばらつきを有する。なお、以下の説明において、「ガラス基板の配線層側の面を基準面としたときの接続用凸部の頂部から基準面までの高さ」を「接続用凸部の高さ」と称して説明する場合がある。
【００４６】
本開示においては、接続用凸部群のうち、ガラス基板の配線層側の面を基準面としたとき、応力緩衝層が配置された１つの接続用凸部の頂部から基準面までの高さが、１つの接続用凸部よりも厚さの薄い応力緩衝層が配置された接続用凸部の頂部から基準面までの高さ、または応力緩衝層が配置されていない接続用凸部の頂部から基準面までの高さよりも高いことが好ましい。
【００４７】
上述した接続用凸部の高さの関係について図を用いて説明する。図３は本開示の配線基板の他の例を示す概略断面図である。図３に示される配線基板１０は、接続用凸部群４Ｇが、応力緩衝層５ａが配置された接続用凸部４ｊと、応力緩衝層が配置されていない接続用凸部４ｋと、応力緩衝層５ａよりも厚さの薄い応力緩衝層５ｂに配置された接続用凸部４ｌとを有している。このような配線基板１０においては、接続用凸部４ｊの高さＴ１が、接続用凸部４ｋの高さＴ２または接続用凸部４ｌの高さＴ３よりも高いことが好ましい。配線基板に機能性チップ実装する際の押し込みにおいては、接続用凸部群のうち、より高さの高い接続用凸部が配置された部分に応力集中が生じやすい傾向にある。そのため、応力緩衝層が配置された接続用凸部の高さが応力緩衝層が配置されていない接続用凸部の高さよりも高いことで、実装時の押し込みにより生じる応力を好適に緩和することができ、ガラス基板の割れを好適に抑制することができるからである。また、応力緩衝層は、その厚さが厚い程、応力を緩衝する効果が高い傾向にある。そのため、より厚さの厚い応力緩衝層が配置された接続用凸部の高さが高いことで、実装時の押し込みにより生じる応力を好適に緩和することができ、ガラス基板の割れを好適に抑制することができるからである。本開示においては、中でも、図３に示すように、接続用凸部４ｊの高さＴ１が、接続用凸部４ｋの高さＴ２および接続用凸部４ｌの高さＴ３よりも高いことが好ましい。
【００４８】
また、本開示においては、接続用凸部群のうち、ガラス基板の配線層側の面を基準面としたとき、接続用凸部の頂部から基準面までの高さが最も高い接続用凸部が、実装される機能性チップの最外周の端子に対応する位置に配置されていることが好ましい。
【００４９】
上記接続用凸部の高さの関係について図を用いて説明する。例えば、図１（ｂ）に示すように接続用凸部４ａ〜４ｉを有する接続用凸部群４Ｇに対し、図４に示すように、チップ本体２１および端子２２ａ〜２２ｉを有する機能性チップ２０を実装する場合を考える。接続用凸部４ａ〜４ｉはそれぞれ端子２２ａ〜２２ｉに対応する位置に配置されていることとする。例えば、図５（ａ）に示すように、接続用凸部群４Ｇのうち、機能性チップの中央の端子２２ｅに対応する接続用凸部４ｅの高さが最も高い高さＴ４である場合、図５（ｂ）に示すように、機能性チップ２０を実装する際、接続用凸部４ｅと端子２２ｅとは良好に接触させることができるものの、他の接続用凸部（例えば、接続用凸部４ｄ、４ｆ）と他の端子（例えば、端子２２ｄ、２２ｆ）とを接触させることが難しい場合がある。この場合、例えば、機能性チップを傾けることにより、他の接続用凸部と他の端子とを接触させることが考えられるが、機能性チップの中央に位置する接続用凸部４ｅと端子２２ｅとの接点を起点として特定の方向に機能性チップを傾けることが難しい場合がある。また、実装時および実装後の機能性チップにガタツキが生じる等の安定性が低いことが懸念される。
【００５０】
これに対し、図６（ａ）に示すように、接続用凸部群４Ｇのうち、機能性チップの最外周の端子２２ｄに対応する接続用凸部４ｄの高さが最も高い高さＴ４である場合、図６（ｂ）に示すように、機能性チップ２０を実装する際、接続用凸部４ｄと端子２２ｄとは良好に接触させることができ、また、接続用凸部４ｄと端子２２ｄとの接点を起点として、例えば、端子２２ｆ側の機能性チップの端部の位置が、端子２２ｄ側の機能性チップの端部の位置より低くなるように、機能性チップを傾けることにより、他の接続用凸部（例えば、接続用凸部４ｄ、４ｆ）と他の端子（例えば、端子２２ｄ、２２ｆ）とを接触させることが可能となる。また、機能性チップの傾きを一定の方向に調整することができるため、実装時および実装後の機能性チップの安定性を良好にすることができる。
【００５１】
本開示においては、実装される機能性チップの最外周の端子に対応する位置に配置されている接続用凸部が、応力緩衝層が配置された接続用凸部であることがより好ましい。上記接続用凸部が配置された部分における応力集中を抑制することができるからである。
【００５２】
なお、「ガラス基板の配線層側の面を基準面としたときの接続用凸部の頂部から基準面までの高さ」、すなわち接続用凸部の高さは、例えば、走査型電子顕微鏡（ＳＥＭ）を用いて垂直断面を観察することにより測定することができる。
【００５３】
接続用凸部の高さの調製方法としては、例えば、応力緩衝層、配線層、絶縁層等のガラス基板と接続用凸部との間に位置する層の厚さを調整する方法が挙げられる。
【００５４】
接続用凸部の高さは、配線基板の形態に応じて適宜選択され、特に限定されないが、例えば、５μｍ以上であることが好ましく、８μｍ以上であることがより好ましく、１０μｍ以上であることが好ましい。また、接続用凸部の高さは、例えば、２００μｍ以下であっても好ましく、１８０μｍ以下であることが好ましく、１００μｍ以下であることが特に好ましい。
【００５５】
２．接続用凸部
接続用凸部は、絶縁層の開口部に配置され配線層と電気的に接続された部材である。接続用凸部は、機能性チップの端子部と電気的に接続させるために用いられる部材である。
【００５６】
接続用凸部の厚さは、通常、接続用凸部の配線層側の面からの絶縁層の厚さよりも厚い。上述の絶縁層の厚さに対する、接続用凸部の厚さの比率は、例えば、１．０１以上であり、１．５以上であってもよく、２以上であってもよい。また、上記比率は、例えば、１０以下であってもよく、８以下であってもよく、５以下であってもよい。接続用凸部の厚さが薄すぎると、機能性チップと電気的に接続させることが困難となる可能性があるからであり、接続用凸部の厚さが厚すぎると、接続用凸部を形成することが困難となる可能性があるからである。
【００５７】
なお、「接続用凸部の厚さ」は、接続用凸部の配線層側の面から、頂部までの垂直方向の距離をいい、例えば、図１（ｃ）においてｔ１で表される距離をいう。また、「接続用凸部の配線層側の面からの絶縁層の厚さ」は、接続用凸部の配線層側の面から絶縁層の配線層側とは反対側の面までの垂直方向の距離をいい、例えば、例えば、図１（ｃ）においてｔ２で表される距離をいう。「接続用凸部の厚さ」および「接続用凸部の配線層側の面からの絶縁層の厚さ」は、例えば、走査型電子顕微鏡（ＳＥＭ）を用いて垂直断面を観察することにより測定することができる。
【００５８】
接続用凸部の厚さは、配線基板の用途、大きさ等に応じて適宜選択され、特に限定されないが、例えば、２μｍ以上、１５μｍ以下であることが好ましい。なお、配線基板に配置される接続用凸部の個数にもよるが、少なくとも１０個以上の接続用凸部を有する場合は、１０個の接続用凸部の厚さの平均値が上述した範囲内であることが好ましい。
【００５９】
接続用凸部の平面視外形形状は、絶縁層の開口部の形状に応じて適宜選択される。接続用凸部の平面視外形形状としては、例えば、円形状、楕円形状、矩形状等を挙げることができる。また、接続用凸部の大きさは、例えば、１０μｍ以上１５０μｍ以下であってもよく、２０μｍ以上１００μｍ以下であってもよい。接続用凸部の大きさは、上述した接続用凸部の平面視外形形状のなかで、最も長い距離をいう。接続用凸部の大きさは、例えば、走査型電子顕微鏡（ＳＥＭ）を用いて配線基板を観察することにより測定することができる。
【００６０】
接続用凸部の材料は、導電性を有する材料であれば特に限定されず、一般的な配線に用いられる導電性材料を使用することができ、配線層の形態や形成方法等に応じて適宜選択される。
【００６１】
接続用凸部の材料としては、具体的には、銅、金、銀、白金、パラジウム、ロジウム、スズ、アルミニウム、ニッケル、クロム等の金属、またはこれらの金属を含む合金等を挙げることができる。また、接続用凸部の材料としては、はんだを用いることもできる。接続用凸部は、単層であってもよく、複数の層が積層された多層であってもよい。
【００６２】
また、接続用凸部は、例えば、めっき法により形成されためっき層であってもよく、蒸着法により形成された蒸着層であってもよい。また、接続用凸部は、例えば、はんだを用いて形成されたはんだバンプであってもよい。本開示においては、なかでも、接続用凸部はめっき層であることが好ましい。狭ピッチの配線基板に対し、接続用凸部を良好に形成することができるからである。接続用凸部がめっき層である場合、例えば、配線層に対し、ニッケルめっき層および金めっき層がこの順で積層された積層構造を有することが好ましい。ニッケルめっき層の劣化を抑制することができるからである。また、例えば、配線層が銅を含む場合、ニッケルメッキ層を用いることにより配線層の劣化を抑制することができるからである。
【００６３】
接続用凸部の形成方法としては、特に限定されず、例えば、蒸着法やスパッタリング法等のＰＶＤ法、ＣＶＤ法、めっき法等が挙げられる。
【００６４】
３．応力緩衝層
応力緩衝層は、接続用凸部群のうち、少なくとも１つ以上の接続用凸部とガラス基板との間に配置される部材である。応力緩衝層は、機能性チップの実装時の押し込みにより、配線基板に生じる応力を緩衝する機能、すなわち応力緩衝機能を有する。
【００６５】
応力緩衝層の材料は、応力緩衝機能を付与することができる材料であれば特に限定されず、有機材料であってもよく、無機材料であってもよいが、有機材料であることが好ましい。応力緩衝層を柔らかい層とすることができ、応力緩衝機能を良好に付与することができるからである。
【００６６】
応力緩衝層に用いられる有機材料としては、特に限定されないが、例えば、ポリイミド樹脂、アクリル樹脂、エポキシ樹脂、ポリエチレンテレフタレート樹脂、およびノボラック樹脂等を挙げることができる。これらの材料を含むことにより、より良好な緩衝効果が得られる。
【００６７】
応力緩衝層の厚さは、所望の応力緩衝機能を有することができれば特に限定されない。応力緩衝層が配置された接続用凸部の高さが最も高い接続用凸部の高さに対する、応力緩衝層の厚さの比率が、所定の比率であることが好ましい。具体的には、上記接続用凸部の高さに対する、応力緩衝層の厚さの比率が、１０％以上であることが好ましく、１５％以上であることがより好ましく、２０％以上であることがさらに好ましい。上記比率が小さすぎると、応力緩衝機能を十分に発揮することが困難となる可能性があるからである。また、配線基板を薄膜化、軽量化する観点からは、上記比率は、例えば、８０％以下であり、７０％以下であってもよく、６０％以下であってもよい。
【００６８】
「応力緩衝層の厚さ」は、応力緩衝層の一方の面から他方の面までの垂直方向の距離をいう。「応力緩衝層の厚さ」は、例えば、走査型電子顕微鏡（ＳＥＭ）を用いて垂直断面を観察することにより測定することができる。また、上記比率は、例えば、図３においてはｔ３／Ｔ１で表すことができる。
【００６９】
具体的な応力緩衝層の厚さは、配線基板の大きさ等に応じて適宜選択することができ、特に限定されない。応力緩衝層の厚さは、例えば、１μｍ以上であってもよく、３μｍ以上であってもよく、５μｍ以上であってもよい。また、応力緩衝層の厚さは、例えば、２０μｍ以下であってもよく、１５μｍ以下であってもよく、１０μｍ以下であってもよい。
また、上記応力緩衝層は、複数の層が積層されたものであってもよい。積層数としては、一般的には２層から４層程度である。
応力緩衝層の厚さが上述した範囲内であることにより、機能性チップの実装時における、配線基板への応力集中を好適に抑制することができるからである。なお、応力緩衝層が複数の層が積層した積層構造を有する場合は、各層の合計が、上述した数値範囲内の値となることが好ましい。
【００７０】
応力緩衝層の最大厚さは、応力緩衝層の厚さのうち最も厚い部分での厚さをいい、例えば、図１（ｃ）においてｔ３およびｔ４で表される距離のうちｔ３で表される距離をいう。
【００７１】
応力緩衝層は、絶縁層を兼ねていてもよい。例えば、配線層が、応力緩衝層の両方の面側に配置されている場合、応力緩衝層は、配線層同士を絶縁するための絶縁層を兼ねてもよい。具体例としては、図１（ｃ）、図５（ａ）、（ｂ）および図６（ａ）、（ｂ）に示すように、配線層２が応力緩衝層５のガラス基板１側の面側に配置された第１の配線層２ａと、応力緩衝層５の接続用凸部側の面側に配置された第２の配線層２ｂとを有する場合、応力緩衝層５は、第１の配線層２ａと第２の配線層２ｂとを絶縁するための絶縁層を兼ねていてもよい。
【００７２】
また、応力緩衝層が絶縁層を兼ねる場合、図１（ｃ）に示すように、応力緩衝層５は開口部を有していてもよい。この場合、応力緩衝層５の開口部は、絶縁層３の開口部と平面視上重なる位置に配置されていることが好ましい。応力緩衝層に設けられる開口部の形状、大きさ等については、配線基板の層構成に応じて適宜選択することができる。
【００７３】
また、応力緩衝層は、接続用凸部およびガラス基板の間に少なくとも１層あればよく、複数層有していてもよい。
【００７４】
４．配線層
配線層は、ガラス基板の一方の面側に配置される部材である。また、配線層は接続用凸部と電気的に接続される部材である。
【００７５】
配線層は、ガラス基板の一方の面側に配置されていればよく、ガラス基板の一方の面に直接配置されていてもよく、絶縁層を介して配置されていてもよい。また、本開示においては、絶縁層または応力緩衝層を介して複数の配線層が配置されていてもよい。
【００７６】
配線層は、通常、少なくとも線状である線状配線部を有する。線状配線部の線幅については、配線基板の用途に応じて適宜選択することができ、特に限定されない。また、配線層は、接続用凸部と接続させるため、パッド部を有していてもよい。パッド部は、線状配線部よりも幅の広いパターンを有する部分である。パッド部の平面視形状は、例えば、円形状、楕円形状、矩形状等を挙げることができる。配線層の厚さ、線状配線部の線幅、およびパッド部の大きさについては、一般的な配線基板に用いられる配線層の厚さ、線状配線部の線幅、およびパッド部の大きさと同様とすることができるため、ここでの説明は省略する。
【００７７】
配線層の材料は、導電性材料であれば特に限定されず、一般的な配線基板の配線層に用いられる導電性材料と同様とすることができる。配線層に用いられる導電性材料としては、例えば、チタン（Ｔｉ）、モリブデン（Ｍｏ）、タングステン（Ｗ）、タンタル（Ｔａ）、ニッケル（Ｎｉ）、クロム（Ｃｒ）、アルミニウム（Ａｌ）、銅（Ｃｕ）これらの金属または化合物、あるいはこれらの合金や、酸化インジウム錫（ＩＴＯ）、酸化インジウム亜鉛（ＩＺＯ）等の導電性酸化物等などを使用することができる。
【００７８】
配線層の形成方法としては、一般的な配線の形成方法を用いることができ、配線層の形態等に応じて適宜選択される。配線層の形成方法としては、例えば、蒸着法やスパッタリング法等のＰＶＤ法、ＣＶＤ法、めっき法等が挙げられる。また、めっき法は電解めっき法であることが好ましい。
【００７９】
５．絶縁層
絶縁層は、ガラス基板の配線層側の面側に配置され開口部を有する部材である。絶縁層は、通常、配線層を覆うように配置される。
【００８０】
絶縁層は、通常、配線層の一部と平面視上重なる位置に開口部を有する。絶縁層の開口部は、配線層のパッド部と平面視上重なるように設けられていることが好ましい。絶縁層の開口部の大きさは配線基板の形態に応じて適宜選択され特に限定されない。なお、「絶縁層の開口部の大きさ」とは、絶縁層の開口部の平面視形状のなかで最も長い距離をいう。
【００８１】
絶縁層に用いられる材料としては、絶縁性を有していれば特に限定されず、一般的な配線基板の絶縁層に用いられる材料と同様とすることができる。また、絶縁層に用いられる材料としては、上述した「３．応力緩衝層」の項で説明した材料を用いることもできる。
【００８２】
絶縁層の厚さは、配線層の形態に応じて適宜選択することができる。また、本開示においては、絶縁層は少なくともガラス基板の片方の面に少なくとも１層有していればよく、複数層有していてもよい。
【００８３】
６．ガラス基板
ガラス基板は、配線層、絶縁層、応力緩衝層、接続用凸部を支持する部材である。ガラス基板は、平坦性が高く、耐熱性が高いことから好ましい。ガラス基板に用いられるガラスとしては、例えば、ソーダライムガラス、無アルカリガラス、石英ガラス等を挙げることができる。
【００８４】
ガラス基板の厚さは、上述した各層を支持することができれば特に限定されず、配線基板の用途に応じて適宜選択することができる。ガラス基板の厚さは、例えば、１０μｍ以上１０００μｍ以下であることが好ましく、１００μｍ以上７００μｍ以下であることがより好ましく、３００μｍ以上５００μｍ以下であることが特に好ましい。
【００８５】
７．導電層
本開示の配線基板は、複数の配線層を接続させるための導電層をさらに有していてもよい。上記導電層は、絶縁層の開口部内、または応力緩衝層の開口部内に配置され、ビア層として機能する。導電層に用いられる材料としては、上述した配線層の項で説明した導電性材料と同様とすることができる。また、導電層としては、これに限定されないが、例えば、導電性ペースト等を用いることもできる。導電層の形成方法としては、例えば、上述した配線層の形成方法と同様とすることができる。まためっき法により配線層と同時に形成することもできる。
【００８６】
８．配線基板
本開示の配線基板は、上述した各層を有していれば特に限定されず、必要に応じて他の構成を適宜追加することができる。
【００８７】
本開示の配線基板は、通常、機能性チップとともに用いられ、後述する「Ｂ．素子」の項で説明する素子を構成する。
【００８８】
Ｂ．素子
本開示の素子は、上述した配線基板と、上記接続凸部群の上記接続用凸部と電気的に接続された機能性チップとを有する。
【００８９】
本開示の素子について図を用いて説明する。図７（ａ）は本開示の素子の一例を示す概略平面図であり、図７（ｂ）は図７（ａ）のＢ−Ｂ線断面の一部を示す拡大図である。図７に示される素子１００は、配線基板１０と、接続用凸部群４Ｇの接続用凸部４と電気的に接続された機能性チップ２とを有する。配線基板１０については図１（ａ）〜（ｃ）、機能性チップ２０については図４で説明したため、詳細な説明は省略する。
【００９０】
本開示によれば、上述した配線基板を有することにより、機能性チップが良好に実装された素子とすることができる。
【００９１】
以下、本開示の素子について、構成ごとに説明する。
【００９２】
１．配線基板
本開示における配線基板については、上述した「Ａ．配線基板」の項で説明した内容と同様であるため、ここでの説明は省略する。
【００９３】
２．機能性チップ
本開示における機能性チップは、接続用凸部群の接続用凸部と電気的に接続される部材である。機能性チップは、例えば、チップ本体と、端子とを有する。具体的な機能性チップとしては、ダイナミック・ランダム・アクセス・メモリ（Dynamic Random Access Memory：ＤＲＡＭ）、ＮＡＮＤフラッシュメモリー、ＳＡＷデバイス、パワーアンプＩＣ、ディスプレイドライバーＩＣやイメージセンサ、加速度センサーや角度センサー等を挙げることができる。
【００９４】
３．素子
本開示の素子は、上述した配線基板および機能性チップを有していれば特に限定されず、他にも必要な構成を適宜選択して追加することができる。
【００９５】
本開示の素子は、例えば、スマートフォン、ディスプレイ、車等に用いることができる。
【００９６】
なお、本開示は、上記実施形態に限定されるものではない。上記実施形態は、例示であり、本開示の特許請求の範囲に記載された技術的思想と実質的に同一な構成を有し、同様な作用効果を奏するものは、いかなるものであっても本開示の技術的範囲に包含される。
【符号の説明】
【００９７】
１  …  ガラス基板
２  …  配線層
３  …  ガラス基板
４  …  接続用凸部
５  …  応力緩衝層
１０  …  配線基板
２０  …  機能性チップ
１００  …  素子
【図１】
2020141064.tif 000003
【図２】
2020141064.tif 000004
【図３】
2020141064.tif 000005
【図４】
2020141064.tif 000006
【図５】
2020141064.tif 000007
【図６】
2020141064.tif 000008
【図７】
2020141064.tif 000009